【事件の表示】
　特願２００３−１０８２７７「無線通信システムおよび方法、無線通信装置および方法、並びにプログラム」拒絶査定不服審判事件〔平成１６年１１月１１日出願公開、特開２００４−３２０１６２〕について、次のとおり審決する。
【結　論】
　本件審判の請求は、成り立たない。
【理　由】
第１　手続の経緯
　本件出願は、平成１５年４月１１日の出願であって、平成１８年１１月２日付けで拒絶理由が通知され、平成１９年１月９日付けで手続補正がなされ、同年３月２０日付けで拒絶査定され、これに対して、同年４月２５日に審判請求がなされるとともに、同日付けで手続補正がされたものである。
　
第２　平成１９年４月２５日付け手続補正についての補正却下の決定
［補正却下の決定の結論］
　平成１９年４月２５日付け手続補正を却下する。
　
［理由］
（１）本件補正
　平成１９年４月２５日付け手続補正（以下、「本件補正」という。）による特許請求の範囲の請求項１は、以下のとおりである。
　
（補正後）
　「無線ネットワークを介する通信に必要な通信情報として、前記無線ネットワークを識別する第１の情報と、セキュリティに関する第２の情報を用いて第１の無線通信装置と、第２の無線通信装置のそれぞれが、前記無線ネットワークを介して相互に無線通信を行う無線通信システムにおいて、
　前記第２の無線通信装置は、第１の設定スイッチの押下に応じて前記通信情報の送信を要求する要求情報を、前記第１の無線通信装置に無線で送信し、
　前記第１の無線通信装置は、第２の設定スイッチの押下から所定時間内に前記第２の無線通信装置から送信された前記要求情報に対応する応答として、前記第１の情報と前記第２の設定スイッチの押下に応じて発生させた乱数から生成した前記第２の情報を送信し、
　前記第２の無線通信装置は、前記通信情報として、前記第１の設定スイッチの押下から所定時間内に前記第１の無線通信装置から送信された前記第１の情報と前記第２の情報を設定し、
　前記第１の無線通信装置と前記第２の無線通信装置のそれぞれが、設定された前記通信情報を利用して相互に無線通信を行う
　ことを特徴とする無線通信システム。」
　
　一方、本件補正前の特許請求の範囲の請求項１は、平成１９年１月９日付け手続補正による以下のとおりである。
　
（補正前）　
　「無線ネットワークを介する通信に必要な通信情報として、前記無線ネットワークを識別する第１の情報と、セキュリティに関する第２の情報が予め設定されている第１の無線通信装置と、第２の無線通信装置のそれぞれが、前記無線ネットワークを介して相互に無線通信を行う無線通信システムにおいて、
　前記第２の無線通信装置は、第１の設定スイッチの押下に応じて前記通信情報の送信を要求する要求情報を、前記第１の無線通信装置に無線で送信し、
　前記第１の無線通信装置は、第２の設定スイッチの押下から所定時間内に前記第２の無線通信装置から送信された前記要求情報に対応する応答として、前記第１の情報と前記第２の情報を送信し、
　前記第２の無線通信装置は、前記通信情報として、前記第１の設定スイッチの押下から所定時間内に前記第１の無線通信装置から送信された前記第１の情報と前記第２の情報を設定し、
　前記第１の無線通信装置と前記第２の無線通信装置のそれぞれが、設定された前記通信情報を利用して相互に無線通信を行う
　ことを特徴とする無線通信システム。」
　
　すると、本件補正は、以下の補正事項（ａ）を含むものである。
　
（ａ）「無線ネットワークを識別する第１の情報と、セキュリティに関する第２の情報」に関し、旧請求項１に記載した発明特定事項である「無線ネットワークを識別する第１の情報と、セキュリティに関する第２の情報『が予め設定されている』」を、新請求項１に記載した発明特定事項である「無線ネットワークを識別する第１の情報と、セキュリティに関する第２の情報『を用いて』」に変えるとともに、「前記第２の情報」に関し、「前記第２の設定スイッチの押下に応じて発生させた乱数から生成した」を付加する補正。
　
（２）特許法第１７条の２第４項に適合するかについての検討
　上記補正事項（ａ）は、発明特定事項である「無線ネットワークを識別する第１の情報と、セキュリティに関する第２の情報」の内容を実質的に変更し、特許請求の範囲を変更するものであり、補正前の旧請求項１に記載した発明特定事項を限定するものであるということはできないから、特許請求の範囲の限定的減縮に該当しない。
　また、上記補正事項（ａ）は、明らかに、請求項の削除に該当しない。さらに、誤った記載をその本来の意味内容に正すのもでもなく、不明りょうな記載についてその本来の意味内容を明らかにするものであるとも認められないから、誤記の訂正にも明りょうでない記載の釈明にも該当しない。
　したがって、上記補正事項（ａ）は、特許法第１７条の２第４項各号に掲げられた事項を目的とするものでないから、本件補正は、特許法第１７条の２第４項の規定を満たすものではない。
　
（３）むすび
　したがって、本件補正は、平成１８年法律第５５号改正附則第３条第１項によりなお従前の例によるとされる同法による改正前の特許法第１７条の２第４項の規定に違反するので、同法第１５９条第１項において読み替えて準用する同法第５３条第１項の規定により却下すべきものである。
　
第３　本願発明について
（１）本願発明
　平成１９年４月２５日付けの手続補正は上記のとおり却下されたので、本願の請求項１に係る発明（以下、「本願発明」という。）は、平成１９年１月９日付け手続補正による明細書及び図面の記載からみて、その特許請求の範囲の請求項１に記載されたものと認める。（上記「第２　（１）（補正前）」参照。）
　
（２）先願明細書
　原審の拒絶理由に引用された、本件出願日前の特許出願であって、その出願後に出願公開された特願２００２−１４５２８３号（特開２００３−３３８８２１号公報）の願書に最初に添付された明細書又は図面（以下、「先願明細書」という。）には、「無線ネットワークシステム」として、図面とともに以下の事項が記載されている。
　
イ．「【０００１】
【発明の属する技術分野】
　本発明は、複数の装置，機器が所定のネットワーク設定に基づいて相互に通信可能に無線接続される無線ネットワークシステムに関する。
　特に、本発明は、所定のネットワーク設定環境に設定された被接続装置に、新たに未接続装置（新規参入装置）を接続させる場合に、各装置間を、所定のデフォルト設定に基づいて無線接続することにより、煩雑な設定作業等を必要とすることなく、また、伝送フレーム等の構成を変更することなく、新規参入装置を簡単に既存ネットワークに接続でき、さらに、被接続装置に既に設定されたネットワーク設定を示す設定情報を新規参入装置に無線送信することで、新規参入装置側で必要となるネットワークの設定情報を容易かつ確実に取得，設定することができる、無線ローカルエリアネットワーク（ＬＡＮ）のアドホックモードで接続される装置，機器に好適な無線ネットワークシステムに関する。
【０００２】
【従来の技術】
　一般に、無線を介して通信可能に接続される装置，機器間で無線通信を行う場合には、基本的に、接続される双方の装置，機器のネットワーク設定が、所定の規格に従った接続環境に設定されている必要がある。
　例えば、ＩＥＥＥ８０２．１１ｂやＩＥＥＥ８０２．１１ａ等の規格に基づく無線ＬＡＮ（Local Area Network：ローカルエリアネットワーク）の場合、装置，機器間のアドホック接続（ピアｔｏピア接続）により無線通信を行うには、少なくとも通信チャンネル（使用周波数帯域）やＷＥＰ（Wired Equivalent Privacy：暗号化鍵）の内容，ＳＳＩＤ（Service Set ID）等、無線通信を行う装置間でのネットワーク設定の内容が一致している必要がある。
　すなわち、無線ネットワークシステムでは、所定のネットワーク設定の設定値が相互に一致していなければ、装置間での無線通信を行うことはできない。」
　
ロ．「【００２９】
　以下、本実施形態に係る各装置（端末装置１０ａ，ＰＣ１０ｂ）の詳細について、図２を参照して説明する。
　図２は、本実施形態に係る無線ネットワークシステムにより無線接続される各装置の構成を示すブロック図で、（ａ）はプロジェクタからなる端末装置１０ａを、（ｂ）はＰＣ１０ｂを示している。
　同図に示すように、本実施形態の無線ネットワークシステムを構成する複数の各装置１０（１０ａ，１０ｂ）は、ほぼ同様の構成となっている。
　具体的には、各装置１０（１０ａ，１０ｂ）は、それぞれ、他の装置との間で相互に無線通信処理を行う無線ネットワーク処理手段となる無線ＬＡＮ処理部２０（２０ａ，２０ｂ）と、所定のネットワーク設定情報に基づいて無線ＬＡＮ処理部２０を制御する制御手段となるＣＰＵ１１（１１ａ，１１ｂ）と、所定のネットワーク設定情報を設定，記憶するための記憶手段となるメモリ１２（１２ａ，１２ｂ）を備えている。
【００３０】
　無線ＬＡＮ処理部２０は、信号送受信用のアンテナ２１を備えており、各装置１０内で生成，処理されたデータを他の装置に送信し、また、他の装置から送信されたデータを受信する送受信処理を行う。
　ＣＰＵ１１は、メモリ１２に設定，記憶された所定のネットワーク設定に従って、無線ＬＡＮ処理部２０を制御する。
　メモリ１２には、無線ネットワークに必要となる所定のネットワーク設定が設定，記憶される。
　なお、本実施形態では、ＣＰＵ１１及びメモリ１２は、各装置１０ａ，１０ｂの制御用に備えられるものを無線ＬＡＮ処理部２０の制御用にも兼用するようになっている。従って、例えば、端末装置１０ａのＣＰＵ１１ａは、端末装置１０ａを構成するプロジェクタを駆動制御し、ＰＣ１０ｂのＣＰＵ１１ｂは、ＰＣ内の演算処理，入出力処理等を制御し、各装置内で処理されるデータはメモリ１２（１２ａ，１２ｂ）に対して読み書き処理が行われることになる。
　勿論、ＣＰＵ１１及びメモリ１２を、無線ＬＡＮ処理部２０の専用のものとして備えることも可能である。
【００３１】
　そして、本実施形態では、各装置１０（１０ａ，１０ｂ）の無線ＬＡＮ処理部２０（２０ａ，２０ｂ）は、通常のネットワーク設定環境で動作するとともに、通常のネットワーク設定環境と異なる所定のデフォルト設定環境で動作するようになっており、この所定のデフォルト設定の設定内容を示す設定情報がメモリ１２（１２ａ，１２ｂ）に記憶されるようになっている。
　このメモリ１２に記憶されたデフォルト設定を示す設定情報が、ＣＰＵ１１（１１ａ，１１ｂ）に読み出されて、各装置１０ａ，１０ｂのネットワーク設定として設定されるようになっている。
【００３２】
　具体的には、各装置１０のメモリ１２には、デフォルト設定用の設定情報として、他のネットワーク設定環境で使用される設定値と異なる設定値が記憶してあり、本実施形態では、後述するように「チャンネル：チャンネル１１，ＷＥＰ：なし」がデフォルト設定用の情報として記憶されている（図４参照）。
　このデフォルト設定用の設定情報が、ＣＰＵ１１によって読み出され、各装置１０のネットワーク設定として設定されることで、各装置１０は、設定されたデフォルト設定に基づいて、相互に通信可能に無線接続されることになる。
　そして、このデフォルト設定による無線接続状態において、本実施形態では、被接続装置となる端末装置１０ａ側の本来のネットワーク設定の設定情報が、未接続装置であるＰＣｂ側に送信されるようになっている。
【００３３】
　ここで、各装置１０のＣＰＵ１１は、メモリ１２に記憶されたデフォルト設定情報を任意のタイミングで読み出し、当該装置１０のネットワーク設定情報として設定するようになっており、本実施形態では、ＣＰＵ１１に接続されるトリガ手段１４（１４ａ，１４ｂ）を備えることで、所望の任意のタイミングでデフォルト設定情報が設定できるようになっている。
　このように任意のタイミングでデフォルト設定情報を設定するトリガ手段１４を備えることで、トリガ手段１４を操作するのみで、無線接続しようとする装置間にデフォルト設定による接続環境を設定することができる。また、トリガ手段１４を任意のタイミングで操作することにより、無線接続しようとする装置間で、所望のタイミングで随時、デフォルト設定に基づく無線接続を確立することができることになる。
【００３４】
　ここで、本実施形態に係るトリガ手段１４は、図２に示すように、端末装置１０ａについては、ＯＮ／ＯＦＦ操作される設定スイッチ１４ａからなり、ＰＣ１０ｂについては、表示部１４ｂのメニュー画面から設定操作を実行できるプログラムによって構成してある。
　このように、トリガ手段１４は、装備される装置に応じて、機械的スイッチやモニタ画面上で操作可能なプログラム，キーボードからのキー入力等、任意の構成，態様とすることができる。
　本実施形態では、プロジェクタからなる端末装置１０ａに対しては、モニタ画面やマウス等の入力デバイスを必要としないスイッチ構造のトリガ手段（設定スイッチ）を採用し、ＰＣ１０ｂに対しては、モニタ画面上でオンスクリーンで設定操作が行えるプログラムからなるトリガ手段を採用している。
　従って、トリガ手段１４は、本実施形態における設定スイッチ１４ａ又は表示部１４ｂから入力操作するプログラムに限らず、装備される各装置，機器の形態，構成等に対応した最適なトリガ手段を選択的に備えることが可能である。
【００３５】
　そして、この設定スイッチ１４ａがＯＮされ、また、表示部１４ｂのメニュー画面上でプログラムが起動されることで、各装置１０ａ，１０ｂのネットワークの状態は、デフォルト設定モードとなり、デフォルト設定情報に基づく設定内容に接続環境が変更され、この接続環境において、被接続装置（端末装置１０ａ）側の本来のネットワーク設定情報の送信，取得処理が行われるようになっている。
　この被接続装置（端末装置１０ａ）側のネットワーク設定情報の送信，取得処理（設定情報取得処理）は、各装置１０ａ，１０ｂのＣＰＵ１１ａ，１１ｂの制御により、無線ＬＡＮ処理部２０ａ，２０ｂを介して行われる。
【００３６】
　具体的には、まず、トリガ手段１４（設定スイッチ１４ａ，１４ｂ）によりデフォルト設定モードとなると、各装置１０のＣＰＵ１１は、メモリ１２に設定されているネットワーク設定情報をデフォルト設定情報に変更する。このとき、元のネットワーク設定情報はメモリ１２内の所定アドレスに退避，記憶され、後に再設定できるように情報が保有される。
　そして、デフォルト設定により無線接続された装置１０ａ，１０ｂ間では、まず、未接続装置（ＰＣ１０ｂ）側から、被接続装置（端末装置１０ａ）側のネットワーク設定情報を要求する要求信号が送信される。この要求信号は、例えば、ブロードキャストアドレスやＳＳＩＤ検索等によって所望の相手側装置（端末装置１０ａ）に送信することができる。
【００３７】
　この要求信号を受信した被接続装置（端末装置１０ａ）側では、応答信号を送信するとともに、当該装置１０ａがメモリ１２に保有しているネットワーク設定情報を示すデータが送信される。
　そして、送信されたネットワーク設定情報が未接続装置（ＰＣ１０ｂ）側で受信されると、ＰＣ１０ｂ側のＣＰＵ１１ｂは、設定されているデフォルト設定を、送信された設定情報が示すネットワーク設定に設定，変更する。
　同様に、端末装置１０ａ側のＣＰＵ１１ａでも、ＰＣ１０ｂ側にネットワーク設定情報を送信後、設定されているデフォルト設定を、メモリ１２に退避された設定情報が示す元のネットワーク設定に復帰させる。
　これによって、端末装置１０ａとＰＣ１０ｂは同一の接続環境が設定され、ＰＣ１０ｂには、端末装置１０ａが接続されたネットワーク接続環境が設定されたことになる。すなわち、新規参入装置であるＰＣ１０ｂは、被接続装置である端末をうち１０ａと同一の無線ネットワークで接続されることになる。
【００３８】
　このように、本実施形態では、デフォルト設定モードで無線接続された被接続装置（端末装置１０ａ）と未接続装置（ＰＣ１０ｂ）間で、元のネットワークの設定情報が送受信されると、両装置において、そのネットワーク設定の設定内容が自動的に設定されることになる。
　ここで、本実施形態では、ＰＣ１０ｂ（未接続装置）側のＣＰＵ１１ｂが、端末装置１０ａ（被接続装置）から送信されたネットワーク設定を示す設定情報データを受信すると、端末装置１０ａに対して受信完了信号を送信するようにしてある。
　そして、端末装置１０ａ側では、ＣＰＵ１１ａが、ＰＣ１０ｂ側からの受信完了信号を受信した後、デフォルト設定を元のネットワーク設定に復帰させるようにしてある。
【００３９】
　従って、本実施形態では、端末装置１０ａ側では、ＰＣ１０ｂとの間でネットワーク設定情報の送受信が確実に行われた後、デフォルト設定を本来のネットワーク設定環境に戻すことができ、例えば、所定のネットワーク設定の設定情報がＰＣ１０ｂ側で確実に受信されなかった場合には、デフォルト設定情報に基づく無線接続を維持することができるようなっている。
　このようにすると、例えば、ＰＣ１０ｂ側からの受信完了信号が受信されない場合に、端末装置１０ａ側からネットワーク設定情報の再送信やエラー信号の送信等を行うことも可能となり、既存ネットワークへの新規参入処理をより確実に行えるようになる。
　なお、端末装置１０ａ側で、ＰＣ１０ｂへのネットワーク設定情報を送信後、ＰＣ１０ｂからの受信完了信号を待たずに、直ちにデフォルト設定を元のネットワーク設定に復帰させるようにすることも勿論できる。
【００４０】
　さらに、本実施形態では、各装置１０のＣＰＵ１１にタイマ１５（１５ａ，１５ｂ）が接続してあり、被接続装置側のＣＰＵ１１でデフォルト設定がなされた場合に、デフォルト設定情報の設定後、予め定めた所定時間が経過したか否かが監視できるようになっている。そして、タイマ１５により所定時間の経過が検出されると、ＣＰＵ１１は、設定したデフォルト設定情報を元のネットワーク設定情報に復帰させることができるようになっている。
　すなわち、本実施形態では、被接続装置（端末装置１０ａ）と未接続装置（ＰＣ１０ｂ）との間でデフォルト設定に基づく無線接続が確立された後、所定時間が経過した場合に、被接続装置（端末装置１０ａ）側で、元のネットワーク設定に自動的に再設定され、当該装置を既存ネットワークに復帰させることができるようになっている。
【００４１】
　これにより、未接続装置（ＰＣ１０ｂ）側での処理状況等に拘わらず、一定時間経過後は、被接続装置（端末装置１０ａ）が元の状態に復帰されるので、未確定な新規参入装置の存在によって既存ネットワークが不安定な状態となることを防止することができる。
　ここで、このように被接続装置（端末装置１０ａ）が元の状態に復帰される所定時間は、タイマ１５の設定により任意に設定，変更することができる。従って、例えば、未接続装置（ＰＣ１０ｂ）の新規参入処理に際して、通常必要となる適当な時間を設定することができる。
　なお、タイマ１５は未接続装置（ＰＣ１０ｂ）側にも備えられているが、これは、ＰＣ１０ｂが被接続装置側となる場合を考慮したものであり、ＰＣ１０ｂが未接続装置側である場合には、タイマ１５を動作させる必要はなく、従って、タイマ１５は省略することができる。
　また、デフォルト設定による接続状態について時間的制限を設けない場合には、すべての装置１０についてタイマ１５を省略することも可能である。
【００４２】
　次に、以上のような構成からなる本実施形態に係る無線ネットワークシステムにより、各装置が無線接続される場合の動作（無線接続方法）について、図３〜６を参照しつつ説明する。
　図３〜図５は、本実施形態に係る無線ネットワークシステムにおいて無線接続される装置間のネットワーク設定の設定内容を示す説明図であり、図３は、装置間での設定内容が一致していない場合、図４は、装置間でデフォルト設定がなされた場合、図５は、装置間で所定のネットワーク設定がなされた場合を示している。
　また、図６は、本実施形態に係る無線ネットワークシステムにおいて、新規参入装置が既存ネットワークの被接続装置に無線接続される場合のシーケンス図である。
【００４３】
　まず、本無線ネットワークシステムで無線接続される各装置１０ａ，１０ｂは、あるネットワークに接続されている被接続装置（端末装置１０ａ）と、新規参入装置である未接続装置（ＰＣ１０ｂ）とで、各メモリ１２ａ，１２ｂに設定されているネットワーク設定の設定値が異なっている。
　本実施形態では、図３に示すように、端末装置１０ａ側の設定値は「チャンネル：チャンネル１，ＷＥＰ：ＡＢＣＤＥ」であるのに対して、ＰＣ１０ｂ側の設定値は「チャンネル：６，ＷＥＰ：なし」となっており、この状態では、両装置１０ａ，１０ｂの設定値が一致しておらず、両装置間での無線接続は行えない。
　そこで、この状態で、各装置１０ａ，１０ｂのトリガ手段１４（１４ａ，１４ｂ）を操作することにより、各装置１０ａ，１０ｂのネットワーク設定をデフォルト設定に変更する。
【００４４】
　具体的には、図６に示すように、端末装置１０ａ側では、設定スイッチ１４ａをＯＮにすることで、デフォルト設定モードとなり、ＣＰＵ１１ａがメモリ１２ａに記憶されたデフォルト設定情報を読み出し、その設定値をネットワーク設定情報として設定する。この状態で、端末装置１０ａは、ＰＣ１０ｂからの要求信号の待ち受け開始状態となる。このとき、元のネットワーク設定情報の内容は、メモリ１２ａの所定のアドレスに格納される。
　また、ＰＣ１０ｂ側では、図６に示すように、表示部１４ｂに表示されるプログラムを起動することによりデフォルト設定モードとなり、ＣＰＵ１１ｂがメモリ１２ｂに記憶されたデフォルト設定情報をネットワーク設定情報として設定する。なお、ＰＣ１０ｂ側でも、元のネットワーク設定を示す設定情報をメモリ１２ｂに格納することができるが、新規参入装置となるＰＣ１０ｂでは、元の設定情報は不要となる。従って、ＰＣ１０ｂ側の元のネットワーク設定情報はメモリ１２ｂへの格納を省略しても良い。
【００４５】
　このようにデフォルト設定情報が設定されることで、両装置１０ａ，１０ｂのネットワーク設定環境は、図４に示すように「チャンネル：１１チャンネル，ＷＥＰ：なし」となって同一設定となり、両装置１０ａ，１０ｂは、設定されたデフォルト設定モードで無線接続されることになる。
　このとき、デフォルト設定モードによる接続状態について時間的制限を設ける場合には、タイマ１５による時間測定が開始する。
　この状態で、図６に示すように、未接続装置であるＰＣ１０ｂから、被接続装置である端末装置１０ａに対して、端末装置１０ａが保有するネットワーク設定情報を要求する要求信号が送信される。
　なお、ＰＣ１０ｂからの要求信号は、例えば、ブロードキャストアドレスを指定することにより端末装置１０ａに送信することができる。
【００４６】
　ＰＣ１０ｂからの要求信号は、図６に示すように、デフォルト設定により無線接続された端末装置１０ａ側で受信される。
　ＰＣ１０ｂからの要求信号を受信した端末装置１０ａでは、ＣＰＵ１１ａによりメモリ１２ａに記憶された元のネットワーク設定情報が読み出される。読み出されたネットワーク設定情報は、図６に示すように、応答信号に付されて、要求信号の送信元となるＰＣ１０ｂに送信される。
　応答信号を受信したＰＣ１０ｂ側では、図６に示すように、応答信号に付されたネットワーク設定情報が入手され、その設定情報がメモリ１２ｂに記憶される。
　そして、ネットワーク設定情報を入手したＰＣ１０ｂは、図６に示すように、受信完了信号を端末装置１０ａに送信するとともに、設定されているデフォルト設定を、端末装置１０ａから送信された設定情報が示すネットワーク設定に変更する。
【００４７】
　端末装置１０ａでは、図６に示すように、ＰＣ１０ｂ側からの受信完了信号を受信すると、ＣＰＵ１１ａにより、設定されているデフォルト設定を、元のネットワーク設定に復帰させる。
　これにより、両装置１０ａの接続環境は、端末装置１０ａが接続されているネットワークの接続環境と同一となり、図５に示すように「チャンネル：１チャンネル，ＷＥＰ：ＡＢＣＤＥ」となる。
　このように設定内容の一致した端末装置１０ａとＰＣ１０ｂは、当該ネットワーク設定に基づいて無線通信が行われることになり、図６に示すように、両装置１０ａ，１０ｂの接続が開始される。本実施形態では、ＩＥＥＥ８０２．１１（８０２．１１ｂ／ａ）規格の無線ＬＡＮにより、アドホックモードで接続されることになる。
　なお、端末装置１０ａにおいて、デフォルト設定モードの起動後、タイマ１５により時間測定が行われている場合には、デフォルト設定の設定後一定時間が経過した場合には、ＰＣ１０ｂからの受信完了信号の有無に拘わらず、設定されているデフォルト設定が元のネットワーク設定に復帰されることになる。」
　
　上記先願明細書の記載及び図面ならびにこの分野における技術常識を考慮すると、上記摘記事項イ．の【０００１】の記載、ロ．の【００２９】、【００４３】〜【００４７】の記載、図２乃至図６によれば、無線ネットワークシステムは、無線ローカルエリアネットワークを介する通信に必要なネットワーク設定情報として、チャンネルと、ＷＥＰが予め設定されている端末装置（１０ａ）と、ＰＣ（１０ｂ）のそれぞれが、無線ローカルエリアネットワークを介して相互に無線通信を行っているものである。
　また、上記摘記事項ロ．の【００３４】における「本実施形態に係るトリガ手段１４は、図２に示すように、端末装置１０ａについては、ＯＮ／ＯＦＦ操作される設定スイッチ１４ａからなり、ＰＣ１０ｂについては、表示部１４ｂのメニュー画面から設定操作を実行できるプログラムによって構成してある。このように、トリガ手段１４は、装備される装置に応じて、機械的スイッチやモニタ画面上で操作可能なプログラム，キーボードからのキー入力等、任意の構成，態様とすることができる。」との記載、【００３６】における「トリガ手段１４（設定スイッチ１４ａ，１４ｂ）によりデフォルト設定モードとなると、各装置１０のＣＰＵ１１は、メモリ１２に設定されているネットワーク設定情報をデフォルト設定情報に変更する。」との記載によれば、ＰＣ（１０ｂ）は、トリガ手段（１４）を有し、トリガ手段（１４）は、設定スイッチ（１４ｂ）であり、設定スイッチ（１４ｂ）の押下に応じて、デフォルト設定モードとなることが読み取れる。
　また、上記摘記事項ロ．の【００３６】における「デフォルト設定により無線接続された装置１０ａ，１０ｂ間では、まず、未接続装置（ＰＣ１０ｂ）側から、被接続装置（端末装置１０ａ）側のネットワーク設定情報を要求する要求信号が送信される。」との記載によれば、ＰＣ（１０ｂ）は、設定スイッチ（１４ｂ）の押下に応じてネットワーク設定情報の送信を要求する要求信号を、端末装置（１０ａ）に無線で送信している。
　また、上記摘記事項ロ．の【００３６】における「まず、トリガ手段１４（設定スイッチ１４ａ，１４ｂ）によりデフォルト設定モードとなると、各装置１０のＣＰＵ１１は、メモリ１２に設定されているネットワーク設定情報をデフォルト設定情報に変更する。」との記載、【００３７】における「この要求信号を受信した被接続装置（端末装置１０ａ）側では、応答信号を送信するとともに、当該装置１０ａがメモリ１２に保有しているネットワーク設定情報を示すデータが送信される。」との記載によれば、端末装置（１０ａ）は、設定スイッチ（１４ａ）の押下からＰＣ（１０ｂ）から送信された要求信号に対応する応答として、ネットワーク設定情報を送信することを読み取れる。
　また、上記摘記事項ロ．の【００３６】における「まず、トリガ手段１４（設定スイッチ１４ａ，１４ｂ）によりデフォルト設定モードとなると、各装置１０のＣＰＵ１１は、メモリ１２に設定されているネットワーク設定情報をデフォルト設定情報に変更する。」との記載、【００３７】における「送信されたネットワーク設定情報が未接続装置（ＰＣ１０ｂ）側で受信されると、ＰＣ１０ｂ側のＣＰＵ１１ｂは、設定されているデフォルト設定を、送信された設定情報が示すネットワーク設定に設定，変更する。」との記載によれば、ＰＣ（１０ｂ）は、ネットワーク設定情報として、設定スイッチ（１４ｂ）の押下から端末装置（１０ａ）から送信されたネットワーク設定情報を設定することを読み取れる。
　また、上記摘記事項ロ．の【００３７】における「同様に、端末装置１０ａ側のＣＰＵ１１ａでも、ＰＣ１０ｂ側にネットワーク設定情報を送信後、設定されているデフォルト設定を、メモリ１２に退避された設定情報が示す元のネットワーク設定に復帰させる。これによって、端末装置１０ａとＰＣ１０ｂは同一の接続環境が設定され、ＰＣ１０ｂには、端末装置１０ａが接続されたネットワーク接続環境が設定されたことになる。すなわち、新規参入装置であるＰＣ１０ｂは、被接続装置である端末をうち１０ａと同一の無線ネットワークで接続されることになる。」との記載によれば、端末装置（１０ａ）とＰＣ（１０ｂ）のそれぞれは、設定されたネットワーク設定情報を利用して相互に無線通信を行うことを読み取れる。
　
　したがって、先願明細書には、以下の発明（以下、「先願発明」という。）が記載されている。
　
　「無線ローカルエリアネットワークを介する通信に必要なネットワーク設定情報として、チャンネルと、ＷＥＰが予め設定されている端末装置（１０ａ）と、ＰＣ（１０ｂ）のそれぞれが、無線ローカルエリアネットワークを介して相互に無線通信を行う無線ネットワークシステムにおいて、
　前記ＰＣ（１０ｂ）は、設定スイッチ（１４ｂ）の押下に応じて前記ネットワーク設定情報の送信を要求する要求信号を、前記端末装置（１０ａ）に無線で送信し、
　前記端末装置（１０ａ）は、設定スイッチ（１４ａ）の押下から前記ＰＣ（１０ｂ）から送信された前記要求信号に対応する応答として、前記ネットワーク設定情報を送信し、
　前記ＰＣ（１０ｂ）は、前記ネットワーク設定情報として、前記設定スイッチ（１４ｂ）の押下から前記端末装置（１０ａ）から送信された前記ネットワーク設定情報を設定し、
　前記端末装置（１０ａ）と前記ＰＣ（１０ｂ）のそれぞれが、設定された前記ネットワーク設定情報を利用して相互に無線通信を行う
　無線ネットワークシステム。」
　
（３）対比
　そこで、本願発明と先願発明とを対比すると、
ａ．先願発明の「無線ローカルエリアネットワーク」、「端末装置（１０ａ）」、「ＰＣ（１０ｂ）」、「ＷＥＰ」、「設定スイッチ（１４ｂ）」及び「設定スイッチ（１４ａ）」は、本願発明の「無線ネットワーク」、「第１の無線通信装置」、「第２の無線通信装置」、「セキュリティに関する第２の情報」、「第１の設定スイッチ」及び「第２の設定スイッチ」に対応する構成であり、それぞれの間に実質的な差異はない。
ｂ．先願発明の「ネットワーク設定情報」は、本願発明の「通信情報」に相当する。
ｃ．先願発明の「無線ネットワークシステム」は、無線通信システムである。
　
　したがって、本願発明と先願発明は、以下の点で一致している。
　
＜一致点＞
　
　「無線ネットワークを介する通信に必要な通信情報として、セキュリティに関する第２の情報が予め設定されている第１の無線通信装置と、第２の無線通信装置のそれぞれが、前記無線ネットワークを介して相互に無線通信を行う無線通信システムにおいて、
　前記第２の無線通信装置は、第１の設定スイッチの押下に応じて前記通信情報の送信を要求する要求情報を、前記第１の無線通信装置に無線で送信し、
　前記第１の無線通信装置は、第２の設定スイッチの押下から前記第２の無線通信装置から送信された前記要求情報に対応する応答として、前記第２の情報を送信し、
　前記第２の無線通信装置は、前記通信情報として、前記第１の設定スイッチの押下から前記第１の無線通信装置から送信された前記第２の情報を設定し、
　前記第１の無線通信装置と前記第２の無線通信装置のそれぞれが、設定された前記通信情報を利用して相互に無線通信を行う
　無線通信システム。」
　
　次の各点で一応相違している。
　
＜相違点１＞
　
　本願発明は、「通信情報」として、「無線ネットワークを識別する第１の情報」を含み、「無線ネットワークを識別する第１の情報」も「第２の情報」とあわせて送信・設定されるのに対し、
　先願発明ではこのような構成を備えるか否か不明な点。
　
＜相違点２＞
　
　「第１の無線通信装置」における「第１の情報と第２の情報」の送信タイミングに関し、本願発明は、「前記第１の無線通信装置は、第２の設定スイッチの押下から『所定時間内に』前記第２の無線通信装置から送信された前記要求情報に対応する応答として、前記第１の情報と前記第２の情報を送信し」ているのに対し、
　先願発明は、「前記端末装置（１０ａ）は、設定スイッチ（１４ａ）の押下から前記ＰＣ（１０ｂ）から送信された要求信号に対応する応答として、前記ネットワーク設定情報を送信し」ているものの、『所定時間内に』送信するか不明な点。
　
＜相違点３＞
　
　「第２の無線通信装置」における「第１の情報と第２の情報」の設定タイミングに関し、本願発明は、「前記第２の無線通信装置は、前記通信情報として、前記第１の設定スイッチの押下から『所定時間内に』前記第１の無線通信装置から送信された前記第１の情報と前記第２の情報を設定し」ているのに対し、
　先願発明は、「前記ＰＣ（１０ｂ）は、前記ネットワーク設定情報として、前記設定スイッチ（１４ｂ）の押下から前記端末装置（１０ａ）から送信された前記ネットワーク設定情報を設定し」ているものの、『所定時間内に』設定するか不明な点。
　
（４）判断
　そこで、まず、上記相違点１について検討する。
　先願明細書の上記摘記事項イ．の【０００２】に「無線を介して通信可能に接続される装置，機器間で無線通信を行う場合には、基本的に、接続される双方の装置，機器のネットワーク設定が、所定の規格に従った接続環境に設定されている必要がある。例えば、ＩＥＥＥ８０２．１１ｂやＩＥＥＥ８０２．１１ａ等の規格に基づく無線ＬＡＮ（Local Area Network：ローカルエリアネットワーク）の場合、装置，機器間のアドホック接続（ピアｔｏピア接続）により無線通信を行うには、少なくとも通信チャンネル（使用周波数帯域）やＷＥＰ（Wired Equivalent Privacy：暗号化鍵）の内容，ＳＳＩＤ（Service Set ID）等、無線通信を行う装置間でのネットワーク設定の内容が一致している必要がある。すなわち、無線ネットワークシステムでは、所定のネットワーク設定の設定値が相互に一致していなければ、装置間での無線通信を行うことはできない。」と記載されるように、無線ネットワークを介した通信を確立するには、ＳＳＩＤ（無線ネットワークを識別する情報）を装置間で一致させなくてはならないのは技術常識であり、ＳＳＩＤ（無線ネットワークを識別する情報）が、いわゆるネットワーク設定情報に含まれることを加味すると、先願明細書には、装置間で送信・設定される「ネットワーク設定情報」（通信情報）として、「無線ネットワークを識別する情報」も含むことは実質記載されているに等しい事項と認められる。
　したがって、先願発明の「ネットワーク設定情報」（通信情報）について、「無線ネットワークを識別する情報」を含ませ、「無線ネットワークを識別する第１の情報」も「第２の情報」とあわせて送信・設定することも当業者が当然に行う設計的事項であるから、上記相違点１は実質的な相違点ではない。
　
　次に、上記相違点２について検討する。
　先願明細書の上記摘記事項ロ．の【００４４】における「図６に示すように、端末装置１０ａ側では、設定スイッチ１４ａをＯＮにすることで、デフォルト設定モードとなり、」との記載、【００４５】における「このとき、デフォルト設定モードによる接続状態について時間的制限を設ける場合には、タイマ１５による時間測定が開始する。この状態で、図６に示すように、未接続装置であるＰＣ１０ｂから、被接続装置である端末装置１０ａに対して、端末装置１０ａが保有するネットワーク設定情報を要求する要求信号が送信される。」との記載によれば、タイマ（１５）は、設定スイッチ（１４ａ）の押下から、ネットワーク設定情報を要求する要求信号が送信されるまで、時間を計時しており、所定時間内に要求信号が送信されることは明らかであるから、上記相違点２は実質的な相違点ではない。
　
　次に、上記相違点３について検討する。
　先願明細書の上記摘記事項ロ．の【００４０】における「各装置１０のＣＰＵ１１にタイマ１５（１５ａ，１５ｂ）が接続してあり、被接続装置側のＣＰＵ１１でデフォルト設定がなされた場合に、デフォルト設定情報の設定後、予め定めた所定時間が経過したか否かが監視できるようになっている。そして、タイマ１５により所定時間の経過が検出されると、ＣＰＵ１１は、設定したデフォルト設定情報を元のネットワーク設定情報に復帰させることができるようになっている。」との記載、及び図２によれば、ＰＣ（１０ｂ）のタイマ（１５ｂ）は、デフォルト設定がなされた場合、すなわち、設定スイッチ（１４ｂ）の押下された時点から、ネットワーク設定情報が設定されるまで、所定時間を計時していることは、ネットワーク設定情報を設定し相互に無線接続をすることが先願発明の目的であることを考慮すれば、当然のことであるから、上記相違点３は実質的な相違点ではない。
　
第４　むすび
　以上のとおり、本願発明は、その出願の日前の特許出願であって、その出願後に出願公開がされた先願発明と同一であり、しかも、この出願の発明者がその出願前の特許出願に係る上記の発明をした者と同一ではなく、またこの出願の時において、その出願人が上記特許出願の出願人と同一でもないから、特許法第２９条の２の規定により特許を受けることができない。
　
　よって、結論のとおり審決する。